(57)【要約】【課題】両極検出タイプの磁場検出部及び一般的なサイズの磁場発生部を用いることができ、かつ、外部磁場の影響による誤動作を防止することができるスライド開閉型携帯電話機を提供する。【解決手段】下側ユニット１と、下側ユニット１に対して結合された上側ユニット２とを備え、下側ユニット１に対して上側ユニット２がスライド開閉するものであって、上側ユニット２は、磁場を発生させるマグネット９を備え、下側ユニット１は、磁場のうちの、下側ユニット１と上側ユニット２との接触面に対する水平磁場を検出する磁気検出ＩＣ８を備え、さらに、下側ユニット１は、磁気検出ＩＣ８が水平磁場を検出してから上側ユニット２のスライド開閉を確定するまでに時間差を設ける開閉検出部７を備えている。【選択図】図３
2009130388.tif 000002
【特許請求の範囲】
【請求項１】
主筐体と、該主筐体に対して結合された可動筐体とを備え、該主筐体に対して該可動筐体がスライド開閉するスライド開閉型携帯電話機であって、
上記可動筐体は、磁場を発生させる磁場発生部を備え、
上記主筐体は、上記磁場のうちの、該主筐体と上記可動筐体との接触面に対する水平磁場を検出する磁場検出部を備え、
さらに、上記主筐体は、上記磁場検出部が上記水平磁場を検出してから上記可動筐体のスライド開閉を確定するまでに時間差を設けるスライド開閉検出部を備えていることを特徴とするスライド開閉型携帯電話機。
【請求項２】
上記スライド開閉検出部は、誤動作防止部であることを特徴とする請求項１に記載のスライド開閉型携帯電話機。
【請求項３】
上記スライド開閉検出部は、上記水平磁場を検出した上記磁場検出部から出力される信号の出力状態を検出した後に、サンプリングパルスの周期が２０ｍｓである条件下で、上記主筐体に対して上記可動筐体が開いた状態でのサンプリングパルスの検出回数が３回または該主筐体に対して該可動筐体が閉じた状態でのサンプリングパルスの検出回数が２５回の間に該出力状態が変化しなければ、該出力状態を確定することを特徴とする請求項１または２に記載のスライド開閉型携帯電話機。
【請求項４】
上記スライド開閉検出部は、上記水平磁場を検出した上記磁場検出部から出力される信号の出力状態が“Ｌｏｗ”から“Ｈｉｇｈ”、または、“Ｈｉｇｈ”から“Ｌｏｗ”に切り替わった後に、該出力状態が変化しなければ、該出力状態を確定することを特徴とする請求項３に記載のスライド開閉型携帯電話機。
【請求項５】
上記磁場発生部は、上記磁場検出部に対して、上記可動筐体が開く方向と反対の方向にオフセットされていることを特徴とする請求項１〜４のいずれか１項に記載のスライド開閉型携帯電話機。
【発明の詳細な説明】
【技術分野】
【０００１】
本発明は、スライド開閉型携帯電話機に関するものである。さらに詳しくは、固体表面に対する水平磁場を検出する磁気センサ等により、スライド開閉の検出を行うスライド開閉型携帯電話機に関するものである。
【背景技術】
【０００２】
近年、携帯電話機は、単に通話する機器としてだけでなく、インターネット等のブラウザ、電子メール送受信端末、スケジュール管理等の機能を付加した携帯情報端末等としても活用されるようになってきている。このため、その表示内容には多量の文字情報、画像等があり、表示部は大型であることが望ましい。
【０００３】
従来、携帯電話機には、ストレート構造以外に、小型化の要求に対応するため、筐体を２つのユニットで構成し両ユニットを結合部材で結合して折り畳み可能にした折り畳み構造、筐体を２つのユニットで構成し両ユニットをスライド可能に結合したスライド開閉構造等が用いられている。このような折り畳み構造やスライド開閉構造は、大型の表示部を搭載する場合にも配置スペースが確保でき、極めて好適である。
【０００４】
具体的には、一般的な折り畳み構造の携帯電話機では、表示部は折り畳んだ際に内側となる面に配置され、折り畳んだ状態では外部から保護される。さらに、折り畳んだ状態でも最小限の情報を表示できるように、背面（折り畳んだ際に外側となる面）等に副表示部を設けた折り畳み構造の携帯電話機も知られている。
【０００５】
また、一般的なスライド開閉構造の携帯電話機は、主筐体（第１ユニット）と、該主筐体に対して長軸方向または短軸方向にスライド可能に結合して構成された可動筐体（第２ユニット）とで構成される。
【０００６】
ここで、上記従来のスライド開閉構造の携帯電話機では、例えば、通話するために、両手または片手で両ユニットを長軸方向または短軸方向に離間するように可動筐体（第２ユニット）をスライドさせると、そのスライド状態を検出して、状態に合わせて表示内容を切り替える。また、両ユニットが縮退状態の時に着信があった場合に、スライド操作で両ユニットを展伸状態にすると、自動的にオフフック動作を行う。これにより、着信時に迅速に応答ができ、使い勝手が向上する。そして、通話終了後に、両ユニットを展伸状態から縮退状態に戻した場合に、そのスライド状態を検出して、自動的に終話処理を行う。上記従来のスライド開閉構造の携帯電話機としては、例えば、マグネット及び磁気検出ＩＣ（Integrated Circuit、集積回路）を備え、該マグネットの磁場を該磁気検出ＩＣで検出することにより、スライド開閉の検出を行う携帯電話機が知られている（例えば、特許文献１〜３参照）。
【０００７】
上記従来のスライド開閉構造の携帯電話機は、外部からの水平磁場の影響を受けて誤認識によりスライド開閉の検出を行うおそれがある。
【０００８】
また、上記従来のスライド開閉構造の携帯電話機について、固体表面に対する垂直磁場を検出する磁気センサを用いる場合には、後述するスライド開閉無反応距離を長くするためにマグネットのサイズを大きくして、マグネットと磁気検出ＩＣとがある程度離れても、できるだけマグネットからの強い磁場を磁気検出ＩＣに届けることができるようにしている。
【特許文献１】特開２００３−２０４３８３号公報（平成１５年７月１８日公開）
【特許文献２】特開２００４−３１２９８２号公報（平成１６年１１月４日公開）
【特許文献３】特開２００１−１１９４６７号公報（平成１３年４月２７日公開）
【発明の開示】
【発明が解決しようとする課題】
【０００９】
しかしながら、上記従来の携帯電話機では、片極検出タイプの磁気検出ＩＣ（ホールＩＣ）またはサイズの大きなマグネットを用いるため、設計上の自由度が奪われるという問題点を有している。特に、上記特許文献１，２の携帯電話機では、ホール素子（一般的に、固体表面に対する垂直磁場を検出するセンサ）を用いているため、後述するスライド開閉無反応距離を長く確保するにはサイズの大きなマグネットを使用することが必要である。このため、設計上の自由度が奪われて、携帯電話機の小型化・薄型化を図ることができず、部品コストが増大するという問題点を有している。
【００１０】
本発明は、上記従来の問題点に鑑みなされたものであって、その目的は、両極検出タイプの磁場検出部及び一般的なサイズの磁場発生部を用いることができ、かつ、外部磁場の影響による誤動作を防止することができるスライド開閉型携帯電話機を提供することにある。
【課題を解決するための手段】
【００１１】
本発明のスライド開閉型携帯電話機は、上記課題を解決するために、主筐体と、該主筐体に対して結合された可動筐体とを備え、該主筐体に対して該可動筐体がスライド開閉するスライド開閉型携帯電話機であって、上記可動筐体は、磁場を発生させる磁場発生部を備え、上記主筐体は、上記磁場のうちの、該主筐体と上記可動筐体との接触面に対する水平磁場を検出する磁場検出部を備え、さらに、上記主筐体は、上記磁場検出部が上記水平磁場を検出してから上記可動筐体のスライド開閉を確定するまでに時間差を設けるスライド開閉検出部を備えていることを特徴としている。
【００１２】
上記の発明によれば、上記主筐体は、上記磁場発生部が発生させる磁場のうちの、該主筐体と上記可動筐体との接触面に対する水平磁場を検出する磁場検出部を備えているので、一般的なサイズの磁場発生部を用いても、後述するスライド開閉無反応距離を長く確保することができる。その結果、本発明のスライド開閉型携帯電話機は、設計上の自由度が奪われることなく小型化・薄型化を図ることができ、部品コストが増大することもない。
【００１３】
さらに、上記の発明によれば、上記主筐体は、上記磁場検出部が上記水平磁場を検出してから上記可動筐体のスライド開閉を確定するまでに時間差を設けるスライド開閉検出部を備えているので、その間にスライド開閉について判断し、外部からの水平磁場の影響による誤認識を防止することができる。なぜなら、外部からの水平磁場の影響は一時的なものであるが、磁場発生部からの水平磁場の影響は連続的なものであると考えられるからである。
【００１４】
その結果、本発明のスライド開閉型携帯電話機は、設計上の自由度が奪われることなく、外部磁場の影響による誤動作を防止することが可能となる。
【００１５】
さらに、上記の発明によれば、上記可動筐体は、磁場を発生させる磁場発生部を備えているので、該磁場発生部の磁場が直接、該可動筐体表面に出ないため、外部の磁性体への影響を低減することができる。
【００１６】
また、本発明のスライド開閉型携帯電話機は、上記スライド開閉検出部が、誤動作防止部であることが好ましい。
【００１７】
これにより、本発明のスライド開閉型携帯電話機は、外部磁場の影響による誤動作を、より一層防止することができる。
【００１８】
また、本発明のスライド開閉型携帯電話機では、上記スライド開閉検出部は、例えば、上記水平磁場を検出した上記磁場検出部から出力される信号の出力状態を検出した後に、サンプリングパルスの周期が２０ｍｓである条件下で、上記主筐体に対して上記可動筐体が開いた状態でのサンプリングパルスの検出回数が３回または該主筐体に対して該可動筐体が閉じた状態でのサンプリングパルスの検出回数が２５回の間に該出力状態が変化しなければ、該出力状態を確定する。また、本発明のスライド開閉型携帯電話機では、上記スライド開閉検出部は、例えば、上記水平磁場を検出した上記磁場検出部から出力される信号の出力状態が“Ｌｏｗ”から“Ｈｉｇｈ”、または、“Ｈｉｇｈ”から“Ｌｏｗ”に切り替わった後に、該出力状態が変化しなければ、該出力状態を確定する。
【００１９】
これにより、スライド開閉の確定にかかる時間を、スライド開閉型携帯電話機の操作性を考慮した最適な時間に設定することができる。その結果、本発明のスライド開閉型携帯電話機は、外部磁場の影響による誤動作を防止することが可能となる。
【００２０】
また、本発明のスライド開閉型携帯電話機は、上記磁場発生部が、上記磁場検出部に対して、上記可動筐体が開く方向と反対の方向にオフセットされていることが好ましい。
【００２１】
これにより、後述するスライド開閉無反応距離を長く確保することができる。その結果、本発明のスライド開閉型携帯電話機は、スライド開閉の切り替わりに遊びができ、快適な操作性を得ることが可能となる。
【発明の効果】
【００２２】
本発明のスライド開閉型携帯電話機は、以上のように、主筐体と、該主筐体に対して結合された可動筐体とを備え、該主筐体に対して該可動筐体がスライド開閉するスライド開閉型携帯電話機であって、上記可動筐体は、磁場を発生させる磁場発生部を備え、上記主筐体は、上記磁場のうちの、該主筐体と上記可動筐体との接触面に対する水平磁場を検出する磁場検出部を備え、さらに、上記主筐体は、上記磁場検出部が上記水平磁場を検出してから上記可動筐体のスライド開閉を確定するまでに時間差を設けるスライド開閉検出部を備えているものである。
【００２３】
それゆえ、本発明のスライド開閉型携帯電話機は、両極検出タイプの磁場検出部及び一般的なサイズの磁場発生部を用いることができ、かつ、外部磁場の影響による誤動作を防止することができるスライド開閉型携帯電話機を提供するという効果を奏する。その結果、本発明は、携帯電話機の小型化・薄型化、及び、携帯電話機のコストダウンに有効である。
【発明を実施するための最良の形態】
【００２４】
本発明の一実施形態について図１ないし図９に基づいて説明すれば、以下の通りである。
【００２５】
（Ｉ）本発明のスライド開閉型携帯電話機の構成
本発明のスライド開閉型携帯電話機は、図１，２に示すように、主として、下側ユニット１（メイン操作部、主筐体）と上側ユニット２（ＬＣＤ表示部、可動筐体）とを備えている。さらに、下側ユニット１は、主として、開閉検出部７（スライド開閉検出部、図１，２には図示していない）と磁気検出ＩＣ８（磁場検出部）とを備えている。また、上側ユニット２は、主として、マグネット９（磁場発生部）を備えている。
【００２６】
本発明のスライド開閉型携帯電話機は、上記の構成以外に、従来公知の携帯電話機の構成を備えていてもよい。例えば、本発明のスライド開閉型携帯電話機は、外部からの信号を受信するためのアンテナ、該アンテナによって受信した信号の処理等を行う無線通信制御部、音声を出力するスピーカ、該スピーカから出力する音声の音量に関する設定情報を記憶する音量設定記憶部、携帯電話機の向き等の状態に関する情報を記憶する現在状態記憶部、携帯電話機の向き等の状態を検出するための５軸センサ、携帯電話機に音声を入力するためのマイク、画像を入力するためのカメラ、制御部を実行するプログラム、該プログラムを実行するための種々のデータを記憶する主記憶部等を備えていてもよい。
【００２７】
なお、携帯電話機では、上記スピーカは、上記アンテナを介して受信した音声（電話における通話相手から送られる音声等）及び上記主記憶部に記憶された音声データに基づいた音声（着信音等）を出力することができる。そして、前者の音声は、主にレシーバ孔を介して出力され、後者の音声は、主にスピーカ孔を介して出力される。
【００２８】
さらに、本発明のスライド開閉型携帯電話機は、キー操作部、表示部、表示制御部、受光部、発光部、信号変換部、赤外線通信部、電源、電源制御部、情報処理部、エンコーダ、デコーダ等を備えていてもよい。
【００２９】
（ＩＩ）本発明のスライド開閉型携帯電話機の構成についての詳細な説明
本発明のスライド開閉型携帯電話機は、主筐体と、該主筐体に対して結合された可動筐体とを備え、該主筐体に対して該可動筐体がスライド開閉するスライド開閉型携帯電話機であって、上記可動筐体は、磁場を発生させる磁場発生部を備え、上記主筐体は、上記磁場のうちの、該主筐体と上記可動筐体との接触面に対する水平磁場を検出する磁場検出部を備え、さらに、上記主筐体は、上記磁場検出部が上記水平磁場を検出してから上記可動筐体のスライド開閉を確定するまでに時間差を設けるスライド開閉検出部を備えている。
【００３０】
＜主筐体、可動筐体＞
本発明のスライド開閉型携帯電話機に備えられる主筐体及び可動筐体の形状、構造、材質、色彩等は特に限定されず、従来公知の携帯電話機のものを用いることができる。
【００３１】
「主筐体に対して可動筐体がスライド開閉する」とは、該主筐体に対して該可動筐体が開いた状態、または、該主筐体に対して該可動筐体が閉じた状態になることを意味する。そのことは、主筐体に対して長軸方向または短軸方向に可動筐体がスライド可能に結合されていることにより生じる。ただし、主筐体に対して可動筐体がスライドする方向は、長軸方向または短軸方向に限定されない。また、主筐体と可動筐体との結合方法は、特に限定されない。
【００３２】
＜磁場発生部＞
本発明のスライド開閉型携帯電話機に備えられる磁場発生部は、磁場を発生させるものである。上記磁場発生部としては、特に限定されないが、マグネット（磁石）等が挙げられる。
【００３３】
上記磁場発生部は、上記可動筐体中に備えられている。上記磁場発生部が備えられる上記可動筐体中の場所は、特に限定されないが、後述する磁場検出部との関係で、スライド開閉無反応距離内であることが必要である。ここで、「スライド開閉無反応距離」とは、主筐体と可動筐体とを閉じた状態（図１の状態）から主筐体と可動筐体とを開いた状態（図２の状態）にスライドしていく段階で、後述する磁場検出部が磁場発生部から発生した磁場を検出可能な距離のことをいう。
【００３４】
上記磁場発生部は、後述する磁場検出部に対して、上記可動筐体が開く方向と反対の方向にオフセットされていることが好ましい。ここで、「上記可動筐体が開く方向と反対の方向にオフセットされている」とは、上記可動筐体が開く方向と反対の方向に位置がずらされているということを意味する。なお、後述する磁場検出部が上記磁場発生部からの磁場を検出できる範囲でオフセットされていることが必要である。
【００３５】
＜磁場検出部＞
本発明のスライド開閉型携帯電話機に備えられる磁場検出部は、上記磁場発生部から発生する磁場のうちの、上記主筐体と上記可動筐体との接触面に対する水平磁場を検出するものである。そして、上記磁場検出部は、上記水平磁場を検出した後、後述するスライド開閉検出部に信号を出力する。上記磁場検出部としては、特に限定されないが、磁気検出ＩＣ（Integrated Circuit、集積回路）のような磁気センサ等が挙げられる。また、上記磁場検出部により上記水平磁場を検出する方法としては、特に限定されず、従来公知の磁場検出方法が挙げられる。
【００３６】
上記磁場検出部は、上記主筐体中に備えられている。上記磁場検出部が備えられる上記主筐体中の場所は、特に限定されないが、上記磁場発生部との関係で、スライド開閉無反応距離内であることが必要である。
【００３７】
「上記主筐体と上記可動筐体との接触面」は、上記主筐体と上記可動筐体との少なくとも一部分が接触している面を意味する。
【００３８】
＜スライド開閉検出部＞
本発明のスライド開閉型携帯電話機に備えられるスライド開閉検出部は、上記磁場検出部が上記水平磁場を検出してから上記可動筐体のスライド開閉を確定するまでに時間差を設けるものである。上記スライド開閉検出部が時間差を設ける方法については後述する（項目（ＩＩＩ）として、図１ないし図９に基づいて説明する）。
【００３９】
上記スライド開閉検出部は、誤動作防止部であることが好ましい。上記磁場検出部が上記水平磁場を検出してから上記可動筐体のスライド開閉を確定するまでに時間差を設けることにより、外部磁場の影響による誤動作を防止することができる。
【００４０】
上記スライド開閉検出部は、例えば、上記水平磁場を検出した上記磁場検出部から出力される信号の出力状態を検出した後に、サンプリングパルスの周期が２０ｍｓである条件下で、上記主筐体に対して上記可動筐体が開いた状態でのサンプリングパルスの検出回数が３回または該主筐体に対して該可動筐体が閉じた状態でのサンプリングパルスの検出回数が２５回の間に該出力状態が変化しなければ、該出力状態を確定する。また、上記スライド開閉検出部は、例えば、上記水平磁場を検出した上記磁場検出部から出力される信号の出力状態が“Ｌｏｗ”から“Ｈｉｇｈ”、または、“Ｈｉｇｈ”から“Ｌｏｗ”に切り替わった後に、該出力状態が変化しなければ、該出力状態を確定する。
【００４１】
上記水平磁場を検出した上記磁場検出部から出力される信号の出力状態は、例えば、該磁場検出部が上記磁場発生部からの該水平磁場を受けた場合には“Ｌｏｗ”の出力状態となり、上記磁場発生部からの該水平磁場を検出できなかった場合には“Ｈｉｇｈ”の出力状態となる。
【００４２】
ここで、サンプリングパルスとは、信号の振幅を一定間隔で抜き出すためのタイミングパルスを意味する。また、パルス波とは、振幅が最大値または最小値のどちらかの値を取るように周期的に変化する波のことをいう。
【００４３】
サンプリングパルスの発生装置及び検出装置は、特に限定されない。また、本発明では、サンプリングパルスの周期は、例えば、２０ｍｓに調整される。
【００４４】
本発明では、例えば、上記主筐体に対して上記可動筐体が開いた状態でのサンプリングパルスの検出回数が３回の間に該出力状態が変化しなければ、該出力状態を確定するが、特に限定されるものではない。また、誤検出を防止するためには、サンプリングパルスの検出回数が多いほど好ましい。
【００４５】
また、本発明では、例えば、上記主筐体に対して該可動筐体が閉じた状態でのサンプリングパルスの検出回数が２５回の間に該出力状態が変化しなければ、該出力状態を確定するが、特に限定されるものではない。また、誤検出を防止するためには、サンプリングパルスの検出回数が多いほど好ましい。
【００４６】
＜誤動作＞
本発明のスライド開閉型携帯電話機は、外部磁場の影響による誤動作を防止することができる。ここで、「誤動作」の具体例としては、スライド開閉型携帯電話機特有の機能である「着信があったときに可動筐体をスライドさせて開いて応答し、通話後に可動筐体をスライドさせて閉じて終了する」という動作の中で、例えば「可動筐体を閉じている状態で着信があり、同時に外部磁場の影響を受けて磁場検出部が誤検出をすると、磁場検出部の出力状態が反転して、可動筐体を閉じたままであるのに、可動筐体を開いたものと誤認識し、可動筐体を閉じた状態で応答してしまう」という動作等が挙げられる。さらに、「外部磁場がなくなると、磁場検出部は正常な出力状態に戻るため、可動筐体を閉じたものと認識し、通話中であるにもかかわらず終話してしまう」という動作等も挙げられる。
【００４７】
（ＩＩＩ）本発明のスライド開閉型携帯電話機におけるスライド開閉検出部が時間差を設ける方法
本発明のスライド開閉型携帯電話機におけるスライド開閉検出部が時間差を設ける方法について、図１ないし図９に基づいて説明する。
【００４８】
図１は、本発明のスライド開閉型携帯電話機３０の下側ユニット１に対して上側ユニット２が閉じた状態での、開閉検出用のマグネット９と磁気検出ＩＣ８との位置関係を示している。図２は、本発明のスライド開閉型携帯電話機３０の下側ユニット１に対して上側ユニット２が開いた状態での、開閉検出用のマグネット９と磁気検出ＩＣ８との位置関係を示している。
【００４９】
具体的には、図１に示すように、下側ユニット１に対して上側ユニット２が閉じた状態では、マグネット９と磁気検出ＩＣ８とが近づき、マグネット９の磁場を磁気検出ＩＣ８が検出することができる。図２に示すように、下側ユニット１に対して上側ユニット２が開いた状態（スライド開閉無反応距離以上に開いた状態）では、マグネット９と磁気検出ＩＣ８とが離れ、磁気検出ＩＣ８はマグネット９の磁場を検出することができない。
【００５０】
このように、本発明のスライド開閉型携帯電話機３０は、スライド開閉の検出を、マグネット９と磁気検出ＩＣ８との位置関係、即ち磁気検出ＩＣ８がマグネット９の磁場を検出しているか否かによって、下側ユニット１に対して上側ユニット２が閉じた状態または下側ユニット１に対して上側ユニット２が開いた状態を認識する。
【００５１】
図３は、本発明のスライド開閉型携帯電話機における下側ユニット１及び上側ユニット２の回路構成を示すブロック図である。また、図４は、通常動作時における、下側ユニット１に対して上側ユニット２が閉じた状態から開いた状態に変化した際の磁気検出ＩＣ８及び開閉検出部７の動作を示すタイミングチャートである。以下に、図３，４を用いて、磁気検出ＩＣ８及び開閉検出部７の動作を説明する。
【００５２】
図３における上側ユニット２中のマグネット９の磁場（磁束密度）５１を受けて、下側ユニット１中の磁気検出ＩＣ８が“Ｌｏｗ”または“Ｈｉｇｈ”の出力状態５２となる（磁場を検出した場合には“Ｌｏｗ”の出力状態となり、磁場を検出できなかった場合には“Ｈｉｇｈ”の出力状態となる）。次に、下側ユニット１中の制御部３内において、開閉検出部７で磁気検出ＩＣ８からの出力の状態が切り替わった後、サンプリングパルス５３（パルス周期２０ｍｓ）を使用して、ある一定のパルス回数の間、“Ｈｉｇｈ”または“Ｌｏｗ”の出力状態が変わらなければ、出力状態５４を確定する。ある一定のパルス回数とは、例えば、“Ｌｏｗ”から“Ｈｉｇｈ”に切り替わった後はパルス３回、“Ｈｉｇｈ”から“Ｌｏｗ”に切り替わった後はパルス２５回である。
【００５３】
開閉検出部７の出力状態５４が確定した後、割込みコントローラー６内において、開閉検出時の処理が現在要求されている処理のうち最優先のものである場合には、割込みコントローラー６は、割込み信号を表示制御部５やその他制御部４に送出する。この割込みコントローラー６からの割込み信号を受けて、例えば表示制御部５は、上側ユニット２中の表示部（ＬＣＤ）１０を制御する。
【００５４】
上記のスライド動作において、図１の下側ユニット１に対して上側ユニット２が閉じた状態でのマグネット９と磁気検出ＩＣ８との位置関係のように、磁気検出ＩＣ８がマグネット９の磁場を検出できる範囲で、マグネット９を磁気検出ＩＣ８に対して上側ユニット２が開く方向と反対の方向にオフセットした位置関係にしておくと、スライド開閉無反応距離を長くすることができる。これにより、ユーザーの操作性を向上させることができる。ここで、スライド開閉無反応距離とは、下側ユニット１に対して上側ユニット２が閉じた状態（図１の状態）から下側ユニット１に対して上側ユニット２が開いた状態（図２の状態）にスライドしていく段階で、磁気検出ＩＣ８がマグネット９からの磁場を検出可能な距離のことをいう。
【００５５】
しかし、マグネット９が磁気検出ＩＣ８に対して上側ユニット２が開く方向と反対の方向にオフセットした位置関係にしておくことによって、下側ユニット１に対して上側ユニット２が閉じた状態（図１の状態）でも磁気検出ＩＣ８が検出しているマグネット９からの磁場は弱くなり、スライド開閉型携帯電話機３０の外部からの磁場の影響を受けやすく、スライド開閉型携帯電話機３０が誤動作するおそれが生じる。もっとも、マグネット９が磁気検出ＩＣ８に対して上側ユニット２が開く方向と反対の方向にオフセットされていなくても、誤動作するおそれがある。
【００５６】
そこで、以下に、図３，５〜９を用いて、スライド開閉型携帯電話機３０の外部からの磁場による誤動作、及び、その誤動作を防止する動作を説明する。
【００５７】
図５は、図１に示す下側ユニット１に対して上側ユニット２が閉じた状態で外部からの磁場の影響を受けた場合に、上側ユニット２を閉じた状態から上側ユニット２を開いた状態にした際の磁気検出ＩＣ８及び開閉検出部７の動作を示すタイミングチャートである。なお、図５において、上記動作を判り易く説明するために、磁気検出ＩＣ８が受けるマグネット９からの磁場と外部からの磁場とを合わせた磁場（磁束密度）６１を示す。
【００５８】
ここで、図７は、従来のスライド開閉型携帯電話機の回路構成を示すブロック図である。具体的には、図３のうち、開閉検出部７がない回路構成を示すブロック図である。図８は、従来のスライド開閉型携帯電話機において、下側ユニット１０１に対して上側ユニット１０２が閉じた状態で外部からの磁場の影響を受けた場合に、上側ユニット１０２を閉じた状態から上側ユニット１０２を開いた状態にした際の磁気検出ＩＣ１０８の動作を示すタイミングチャートである。
【００５９】
図７，８において、マグネット１０９からの磁場と外部からの磁場との影響を受けた磁場１６１を磁気検出ＩＣ１０８が受けると、磁気検出ＩＣ１０８が出力状態１６２となる。図７に示す従来のスライド開閉型携帯電話機の回路構成では、このような出力信号を、直接割込みコントローラー１０６に入力することになる。これにより、実際のユーザーの操作としては、「上側ユニット１０２を閉じる→上側ユニット１０２を開く」であるが、スライド開閉型携帯電話機の内部では、「上側ユニット１０２を閉じる→上側ユニット１０２を開く→上側ユニット１０２を閉じる→上側ユニット１０２を開く」という動作になり、誤動作となる。
【００６０】
これに対して、図３に示す本発明のスライド開閉型携帯電話機の回路構成には開閉検出部７があるため、図５において、磁気検出ＩＣ８が出力状態６２となった場合であっても、開閉検出部７内部処理でサンプリングパルス６３を使用して、磁気検出ＩＣ８から出力状態６２を出力状態６４に変更する。これにより、ある一定のパルス回数の間、“Ｈｉｇｈ”の出力状態が変わらなければ、出力状態６４を確定する。その結果、実際のユーザーの操作としては、「上側ユニット２を閉じる→上側ユニット２を開く」であり、スライド開閉型携帯電話機３０の内部でも、「上側ユニット２を閉じる→上側ユニット２を開く」という動作になり、誤動作を防止することができる。
【００６１】
図６は、図２に示す下側ユニット１に対して上側ユニット２が開いた状態で外部からの磁場の影響を受けた場合に、上側ユニット２を閉じた状態から上側ユニット２を開いた状態にした際の磁気検出ＩＣ８及び開閉検出部７の動作を示すタイミングチャートである。なお、図６において、上記動作を判り易く説明するために、磁気検出ＩＣ８が受けるマグネット９からの磁場と外部からの磁場とを合わせた磁場（磁束密度）７１を示す。
【００６２】
ここで、図７は、従来のスライド開閉型携帯電話機の回路構成を示すブロック図である。具体的には、図３のうち、開閉検出部７がない回路構成を示すブロック図である。図９は、従来のスライド開閉型携帯電話機において、下側ユニット１０１に対して上側ユニット１０２が開いた状態で外部からの磁場の影響を受けた場合に、上側ユニット１０２を閉じた状態から上側ユニット１０２を開いた状態にした際の磁気検出ＩＣ１０８の動作を示すタイミングチャートである。
【００６３】
図７，９において、マグネット１０９からの磁場と外部からの磁場との影響を受けた磁場１７１を磁気検出ＩＣ１０８が受けると、磁気検出ＩＣ１０８が出力状態１７２となる。図７に示す従来のスライド開閉型携帯電話機の回路構成では、このような出力信号を、直接割込みコントローラー１０６に入力することになる。これにより、実際のユーザーの操作としては、「上側ユニット１０２を閉じる→上側ユニット１０２を開く」であるが、スライド開閉型携帯電話機の内部では、「上側ユニット１０２を閉じる→上側ユニット１０２を開く→上側ユニット１０２を閉じる→上側ユニット１０２を開く」という動作になり、誤動作となる。
【００６４】
これに対して、図３に示す本発明のスライド開閉型携帯電話機の回路構成には開閉検出部７があるため、図６において、磁気検出ＩＣ８が出力状態７２となった場合であっても、開閉検出部７内部処理でサンプリングパルス７３を使用して、磁気検出ＩＣ８から出力状態７２を出力状態７４に変更する。これにより、ある一定のパルス回数の間、“Ｈｉｇｈ”の出力状態が変わらなければ、出力状態７４を確定する。その結果、実際のユーザーの操作としては、「上側ユニット２を閉じる→上側ユニット２を開く」であり、スライド開閉型携帯電話機３０の内部でも、「上側ユニット２を閉じる→上側ユニット２を開く」という動作になり、誤動作を防止することができる。
【００６５】
（ＩＶ）その他
このように、本発明のスライド開閉型携帯電話機は、２つの胴体中の１つが滑動して開閉されるスライド型携帯電話機の開閉検出方法において、マグネットの磁界を磁気検出ＩＣにより検出し、誤検出及び誤動作防止手段でスライド開閉を確定するという構成であってもよい。
【００６６】
また、本発明のスライド開閉型携帯電話機は、スライド開閉検出用のマグネットと磁気検出ＩＣが、スライド開閉無反応距離を長く確保することを目的に、マグネットと磁気検出ＩＣをスライド方向にオフセットさせているという構成であってもよい。
【００６７】
また、本発明のスライド開閉型携帯電話機は、上記誤検出及び誤動作防止手段が、磁気検出ＩＣ出力が“Ｌｏｗ”から“Ｈｉｇｈ”もしくは“Ｈｉｇｈ”から“Ｌｏｗ”に切り替わった後、ある一定周期のサンプリングパルスで、ある一定の検出回数の間、“Ｈｉｇｈ”または“Ｌｏｗ”の出力状態が変わらなければ、上記出力状態を確定するという構成であってもよい。
【００６８】
また、本発明のスライド開閉型携帯電話機は、上記サンプリングパルスの周期を２０ｍｓ、ある一定の検出回数を、スライド開き検出時は検出回数３回、スライド閉じ検出時は検出回数２５回とする誤検出及び誤動作防止手段を備えているという構成であってもよい。
【００６９】
また、本発明のスライド開閉型携帯電話機は、スライド開閉検出を、水平磁場を感知する磁気センサで行い、携帯電話機の外部からの磁場による（悪）影響を少なくするように、磁気センサが水平磁場を感知してからスライド開閉確定までに遅延時間を設けることにより誤動作を防止するという構成であってもよい。
【００７０】
なお、本発明は、上述した実施形態に限定されるものではなく、請求項に示した範囲で種々の変更が可能である。即ち、請求項に示した範囲で適宜変更した技術的手段を組み合わせて得られる実施形態についても本発明の技術的範囲に含まれる。
【産業上の利用可能性】
【００７１】
本発明は、両極検出タイプの磁場検出部及び一般的なサイズの磁場発生部を用いることができ、かつ、外部磁場の影響による誤動作を防止することができるため、小型・薄型のスライド開閉型携帯電話機に適用することができる。このようなスライド開閉型携帯電話機は、広範囲な情報通信産業において利用することが可能である。
【図面の簡単な説明】
【００７２】
【図１】本発明におけるスライド開閉型携帯電話機の実施の一形態を示す側面図である。
【図２】本発明におけるスライド開閉型携帯電話機の実施の一形態を示す側面図である。
【図３】本発明におけるスライド開閉型携帯電話機の回路構成を示すブロック図である。
【図４】本発明におけるスライド開閉型携帯電話機の磁場検出部及びスライド開閉検出部の動作を示すタイミングチャートである。
【図５】本発明におけるスライド開閉型携帯電話機の磁場検出部及びスライド開閉検出部の動作を示すタイミングチャートである。
【図６】本発明におけるスライド開閉型携帯電話機の磁場検出部及びスライド開閉検出部の動作を示すタイミングチャートである。
【図７】従来のスライド開閉型携帯電話機の回路構成を示すブロック図である。
【図８】従来のスライド開閉型携帯電話機の磁場検出部の動作を示すタイミングチャートである。
【図９】従来のスライド開閉型携帯電話機の磁場検出部の動作を示すタイミングチャートである。
【符号の説明】
【００７３】
１    下側ユニット（メイン操作部、主筐体）
２    上側ユニット（ＬＣＤ表示部、可動筐体）
３    制御部
４    その他制御部
５    表示制御部
６    割込みコントローラー
７    開閉検出部（スライド開閉検出部）
８    磁気検出ＩＣ（磁場検出部）
９    マグネット（磁場発生部）
１０  表示部（ＬＣＤ）
３０  スライド開閉型携帯電話機
【図１】
2009130388.tif 000003
【図２】
2009130388.tif 000004
【図３】
2009130388.tif 000005
【図４】
2009130388.tif 000006
【図５】
2009130388.tif 000007
【図６】
2009130388.tif 000008
【図７】
2009130388.tif 000009
【図８】
2009130388.tif 000010
【図９】
2009130388.tif 000011